(57)【要約】【課題】浮遊ゴミと付着ゴミ双方の付着を低減させることができるプラテンガラスを備えた画像読取装置を提供する。【解決手段】本発明に係る画像読取装置は、原稿を搬送する原稿搬送部と、第１の透光部材４１１を備えており、原稿搬送部によって搬送される原稿の第１の面の画像を第１の透光部材４１１を介して読み取る第１の画像読取部と、を備え、第１の透光部材４１１の、原稿の第１の面と接する表面上の第１の領域にはフッ素含有有機化合物コーティング１０３が設けられており、原稿の搬送方向において第１の透光部材４１１の表面上の第１の領域より上流側に位置している第２の領域には導電性樹脂シート部材１０１が設けられており、導電性樹脂シート部材１０１は、画像読取装置の接地されている金属部分に電気的に接続されていることを特徴とする。【選択図】図３
2018207148.tif 000002
【特許請求の範囲】
【請求項１】
搬送される原稿の画像を読み取る画像読取装置であって、
前記原稿を搬送する原稿搬送部と、
第１の透光部材を備えており、前記原稿搬送部によって搬送される前記原稿の第１の面の画像を該第１の透光部材を介して読み取る第１の画像読取部と、
を備え、
前記第１の透光部材の、前記原稿の前記第１の面と接する表面上の第１の領域にはフッ素含有有機化合物コーティングが設けられており、
前記原稿の搬送方向において前記第１の透光部材の前記表面上の前記第１の領域より上流側に位置している第２の領域には導電性樹脂シート部材が設けられており、
前記導電性樹脂シート部材は、前記画像読取装置の接地されている金属部分に電気的に接続されていることを特徴とする画像読取装置。
【請求項２】
前記第２の領域は、前記フッ素含有有機化合物コーティングが設けられていない領域を含むことを特徴とする請求項１に記載の画像読取装置。
【請求項３】
前記第２の領域は、前記フッ素含有有機化合物コーティングが設けられた後、コーティング除去加工処理がなされた領域を含むことを特徴とする請求項１又は２に記載の画像読取装置。
【請求項４】
前記導電性樹脂シート部材は、前記第２の領域に導電性接着手段によって貼り付けられていることを特徴とする請求項１乃至３いずれか一項に記載の画像読取装置。
【請求項５】
前記原稿搬送部は、第１の搬送部材と、前記第１の透光部材の前記表面に平行な面内において前記搬送方向に垂直な第１の方向の両側に突起部を有する、該第１の搬送部材を保持するための第１の保持部材とを備えており、
前記第１の透光部材の前記表面上の前記第１の方向の少なくとも一方の端部を含む第３の領域には、前記突起部の間にわたって前記第１の搬送部材と前記第１の透光部材の前記表面との間に所定のギャップが設けられるように、前記突起部の少なくとも一方と当接する第１の調整部材が設けられていることを特徴とする請求項１乃至４のいずれか一項に記載の画像読取装置。
【請求項６】
前記所定のギャップは、０．１ｍｍ以上且つ１．０ｍｍ以下であることを特徴とする請求項５に記載の画像読取装置。
【請求項７】
前記第１の調整部材は、金属板を含むことを特徴とする請求項５又は６に記載の画像読取装置。
【請求項８】
前記第３の領域は、前記フッ素含有有機化合物コーティングが設けられていない領域を含むことを特徴とする請求項５乃至７のいずれか一項に記載の画像読取装置。
【請求項９】
前記第３の領域は、前記フッ素含有有機化合物コーティングが設けられた後、コーティング除去加工処理がなされた領域を含むことを特徴とする請求項５乃至８のいずれか一項に記載の画像読取装置。
【請求項１０】
前記第１の調整部材は、前記第３の領域に接着手段によって貼り付けられている調整部材を含むことを特徴とする請求項５乃至９のいずれか一項に記載の画像読取装置。
【請求項１１】
前記第３の領域は、前記第１の画像読取部の画像読取領域外に位置していることを特徴とする請求項５乃至１０のいずれか一項に記載の画像読取装置。
【請求項１２】
第２の透光部材を備えており、前記原稿搬送部によって搬送される前記原稿の前記第１の面とは反対側の第２の面の画像を該第２の透光部材を介して読み取る第２の画像読取部を備えており、
前記第２の透光部材の、前記原稿の前記第２の面と接する表面上の第１の領域にはフッ素含有有機化合物コーティングが設けられており、
前記搬送方向において前記第２の透光部材の前記表面上の前記第１の領域より上流側に位置している第２の領域には導電性樹脂シート部材が設けられており、
前記第２の透光部材に設けられている前記導電性樹脂シート部材は、前記画像読取装置の接地されている金属部分に電気的に接続されており、
前記原稿搬送部は、第２の搬送部材と、前記第１の方向の両側に突起部を有する、該第２の搬送部材を保持するための第２の保持部材とを備えており、
前記第２の透光部材の前記表面上の前記第１の方向の少なくとも一方の端部を含む第３の領域には、前記突起部の間にわたって前記第２の搬送部材と前記第２の透光部材の前記表面との間に所定のギャップが設けられるように、前記突起部の少なくとも一方と当接する第２の調整部材が設けられており、
前記第１の画像読取部の前記第１の透光部材に設けられている前記第１の調整部材の数と、前記第２の画像読取部の前記第２の透光部材に設けられている前記第２の調整部材の数とは、互いに異なることを特徴とする請求項５乃至１１のいずれか一項に記載の画像読取装置。
【請求項１３】
前記第１の透光部材に設けられている前記導電性樹脂シート部材の電気抵抗値は、５００ｋΩ以下であることを特徴とする請求項１乃至１２のいずれか一項に記載の画像読取装置。
【請求項１４】
前記第１の透光部材に設けられている前記導電性樹脂シート部材は、超高分子量ポリエチレンシートを含むことを特徴とする請求項１乃至１３のいずれか一項に記載の画像読取装置。
【請求項１５】
前記第１の透光部材の前記表面に垂直な第２の方向において、前記第１の透光部材の前記表面と前記導電性樹脂シート部材の前記原稿の前記第１の面と接する表面との間の距離は、０．０５ｍｍ以上且つ１．０ｍｍ以下であることを特徴とする請求項１乃至１４のいずれか一項に記載の画像読取装置。
【請求項１６】
前記第１の透光部材に設けられている前記フッ素含有有機化合物コーティングは、ケイ素含有パーフルポリエーテル化合物コーティングを含むことを特徴とする請求項１乃至１５のいずれか一項に記載の画像読取装置。
【請求項１７】
前記第１の透光部材に設けられている前記フッ素含有有機化合物コーティングは、前記第１の透光部材の基板に中間層を介さず直接真空蒸着されているフッ素含有有機化合物コーティングを含むことを特徴とする請求項１乃至１６のいずれか一項に記載の画像読取装置。
【請求項１８】
請求項１乃至１７のいずれか一項に記載の画像読取装置と、
該画像読取装置によって読み取られた画像に基づいて、被記録材に画像を形成する画像形成部と、
を備えていることを特徴とする画像形成装置。
【発明の詳細な説明】
【技術分野】
【０００１】
本発明は、画像読取装置に関し、特に、複写機、ファクシミリ装置、複合機等の画像形成装置に設けられる、自動原稿搬送装置により搬送される原稿の画像を読み取る画像読取装置に関する。
【背景技術】
【０００２】
従来、複写機、ファクシミリ装置、複合機等の画像形成装置に設けられる画像読取装置として、自動原稿搬送装置（以下、ＡＤＦ：Ａｕｔｏ  Ｄｏｃｕｍｅｎｔ  Ｆｅｅｄｅｒと呼ぶ。）を備え、該ＡＤＦによって搬送される原稿の画像を読み取るものがある。
【０００３】
ＡＤＦによって搬送される原稿の画像を画像読取部が取る際に、紙粉や埃等の浮遊ゴミや原稿に付着しているポストイットの糊や未硬化の修正液等の付着ゴミがプラテンガラス上に付着し、読み取った画像上にスジ状の画像不良が発生してしまう虞があることが知られている。
【０００４】
特許文献１は、プラテンガラスの搬送原稿と接する表面上に導電性コーティングが施され、且つ、原稿の該導電性コーティングに対する接触圧を軽減するために導電性搬送ガイド金属板部材が該導電性コーティング上の搬送方向上流側に設けられている画像読取装置を開示している。
これにより、搬送される原稿や浮遊ゴミの帯電を防止し、プラテンガラスの表面上における浮遊ゴミの吸着を低減している。
【先行技術文献】
【特許文献】
【０００５】
【特許文献１】特開２０１０−１３６１９３号公報
【発明の概要】
【発明が解決しようとする課題】
【０００６】
しかしながら、特許文献１では、プラテンガラスの表面上における付着ゴミの付着については何ら検討していない。
さらに、搬送ガイド部材として、アースを取るために導電性金属板部材を用いているため、原稿が搬送される際に、金属板部材の表面又はエッジと原稿との摺擦によって、原稿自身から浮遊ゴミとなる紙粉が発生してしまう。
そこで、本発明は、浮遊ゴミと付着ゴミ双方の付着を低減させることができるプラテンガラス（透光部材）を備えた画像読取装置を提供することを目的とする。
【課題を解決するための手段】
【０００７】
本発明に係る画像読取装置は、原稿を搬送する原稿搬送部と、第１の透光部材を備えており、原稿搬送部によって搬送される原稿の第１の面の画像を第１の透光部材を介して読み取る第１の画像読取部と、を備え、第１の透光部材の、原稿の第１の面と接する表面上の第１の領域にはフッ素含有有機化合物コーティングが設けられており、原稿の搬送方向において第１の透光部材の表面上の第１の領域より上流側に位置している第２の領域には導電性樹脂シート部材が設けられており、導電性樹脂シート部材は、画像読取装置の接地されている金属部分に電気的に接続されていることを特徴とする。
【発明の効果】
【０００８】
本発明によれば、浮遊ゴミと付着ゴミ双方の付着を低減させることができるプラテンガラスを備えた画像読取装置を提供することができる。
【図面の簡単な説明】
【０００９】
【図１】本発明に係る画像読取装置の斜視図及び断面図。
【図２】本発明に係る第１プラテンガラスに施されているフッ素コーティングを示した図。
【図３】本発明に係る第１プラテンガラスの斜視図。
【図４】本発明に係る画像読取装置の第１プラテンガラス近傍における模式的副走査断面図。
【図５】本発明における第１プラテンローラの斜視図。
【図６】本発明に係る画像読取装置を備えた画像形成装置の模式的正面図。
【発明を実施するための形態】
【００１０】
以下に、本発明に係る画像読取装置を、添付の図面に基づいて詳細に説明する。ただし、以下の実施の形態は、本発明を具体化した一例であって、本発明の技術的範囲を限定するものではない。なお、以下に示す図面は、本発明を容易に理解できるようにするために、実際とは異なる縮尺で描かれている場合がある。
【００１１】
図６は、本発明に係る画像読取装置２０１を備えた画像形成装置２００の模式的正面図を示している。
なお、以下に示す画像形成装置２００は本発明の実施例の一例に過ぎず、画像読取装置２０１を備えたファクシミリ装置やインクジェットプリンター、複合機等も、本発明に係る画像読取装置を備えた画像形成装置に該当する。
【００１２】
図６に示されているように、画像形成装置２００は、記録紙（被記録材）に画像を形成するための画像形成部本体２０２と、画像形成部本体２０２の下部に装着され、記録紙を積載するための給紙カセット２０３と、画像形成部本体２０２の上部に装着され、原稿の画像読み取りを行うための画像読取装置２０１とを備えている。
画像形成部本体２０２の内部において、ほぼ中央部には不図示の画像形成手段が配置され、その下方には給紙カセット２０３を含む、記録紙を給紙するための不図示の給紙手段が配置されている。
また、画像形成部本体２０２の上方には原稿の画像を読み取るための読取手段としてのＣＣＤ等を備えた画像読取装置２０１が配置されている。
そして、画像読取装置２０１と画像形成部本体２０２との間には空間が設けられ、画像形成部本体２０２によって搬送されて排出された記録紙を積載するための本体排紙部２０４が形成されている。
【００１３】
画像形成部本体２０２においては、画像形成手段として、従来周知の電子写真方式によるプリントエンジンが設けられており、不図示のレーザ書き込み部、電子写真プロセス部、定着部等が内蔵されている。
また、給紙手段としては、給紙カセット２０３に載置された記録紙を分離給紙するための不図示の給紙ローラ等が内蔵されており、画像形成手段に記録紙を供給している。
【００１４】
図１（ａ）及び（ｂ）はそれぞれ、本発明に係る画像読取装置２０１の斜視図及び断面図を示している。
【００１５】
図１（ａ）及び（ｂ）に示されているように、画像読取装置２０１は、自動原稿搬送装置（以下、ＡＤＦ：Ａｕｔｏ  Ｄｏｃｕｍｅｎｔ  Ｆｅｅｄｅｒと呼ぶ。）（原稿搬送部）３０１と、ＡＤＦ３０１の下方に設けられ、ＡＤＦ３０１によって搬送される原稿の一方の面（表面、第１の面）の画像を読み取るためのリーダー（第１の画像読取部）３０２とを備えている。
ＡＤＦ３０１は、複数枚の原稿を分離し、リーダー３０２に給紙するものである。ＡＤＦ３０１は、給紙される複数枚の原稿を載置するための原稿トレイ３０４と、原稿トレイ３０４に載置された原稿を１枚ずつ分離給紙して、リーダー３０２に搬送するための原稿搬送手段３０３とを備えている。また、ＡＤＦ３０１は、リーダー３０２によって画像読み取りがなされた後、排紙された原稿を載置するための排紙トレイ３０５を備えている。
【００１６】
図１（ｂ）に示されているように、ＡＤＦ３０１には、原稿搬送手段３０３を構成する部材として、原稿トレイ３０４に載置された複数枚の原稿Ｇを分離給紙するためのピックアップローラ４００及び分離ローラ対４０１とが設けられている。また、ＡＤＦ３０１には、原稿搬送手段３０３を構成する部材として、分離ローラ対４０１によって分離給紙された原稿Ｇを搬送するための複数のローラ対４０２、４０３、４０４、４０５、４０７、４０９及び４１０と、プラテンローラ４０６及び４０８とが設けられている。
具体的には、原稿搬送手段３０３としては、ピックアップローラ４００及び分離ローラ対４０１と、分離ローラ対４０１の下流に設けられ、分離ローラ対４０１から搬送された原稿Ｇを引き抜くための引抜ローラ対４０２とが含まれる。
また、原稿搬送手段３０３としては、引抜ローラ対４０２の下流に設けられ、引抜ローラ対４０２によって搬送された原稿Ｇを下流のローラ対まで搬送するための搬送ローラ対４０３と、搬送ローラ対４０３の下流に設けられ、原稿Ｇの傾きを矯正するためのレジストローラ対４０４とが含まれる。
さらに、原稿搬送手段３０３としては、レジストローラ対４０４の下流に設けられ、原稿Ｇの画像読み取りの安定化のための第１リードローラ対４０５、第１プラテンローラ（第１の搬送部材）４０６、第２リードローラ対４０７、第２プラテンローラ（第２の搬送部材）４０８及び第３リードローラ対４０９とが含まれる。なお、ここでは、第１の搬送部材として、回転される第１プラテンローラ４０６を例示してるが、回転せずに原稿を案内するプラテンガイドであってもよい。同様に第２の搬送部材として、第２プラテンローラ４０８に代えてプラテンガイドであってもよい。
また、原稿搬送手段３０３としては、第３リードローラ対４０９の下流に設けられ、画像読み取り後の原稿Ｇを排紙トレイ３０５に排紙するための排紙ローラ対４１０が含まれる。
【００１７】
そして、ＡＤＦ３０１の下方には、リーダー３０２が設けられている。リーダー３０２の内部には、ＡＤＦ３０１によって第１プラテンガラス（第１の透光部材）４１１上に搬送される原稿Ｇの表面画像や、原稿台ガラス４１３上に載置された原稿の画像を読み取るための第１画像読取手段４１４が、不図示のレール上を副走査方向Ｔに沿って移動可能に設けられている。
第１画像読取手段４１４は、ＡＤＦ３０１によって搬送される原稿Ｇの表面画像を読み取る（原稿流し読み）際には、第１プラテンローラ４０６の対向側（下方）に設けられた第１プラテンガラス４１１の下方の第１位置Ａに停止して画像読み取りを行う。
一方、原稿台ガラス４１３上に載置された原稿の画像を読み取る（原稿固定読み）際には、第１画像読取手段４１４は、不図示のモーターの駆動により第１位置Ａから第２位置Ｂまで副走査方向Ｔに沿って移動走査することによって、原稿台ガラス４１３上の原稿画像の読み取りを行う。なお、ＡＤＦ３０１は、原稿台ガラス４１３上に原稿を載置するときのために、原稿台ガラス４１３の上面を露出できるように回動自在にリーダー３０２に支持されている。
【００１８】
さらに、ＡＤＦ３０１の内部には、搬送される原稿Ｇの他方の面（裏面、第１の面の反対側の面である第２の面）の画像を読み取るために、第２プラテンローラ４０８の対向側に第２プラテンガラス（第２の透光部材）４１２が設けられている。また、第２プラテンガラス４１２を挟んで、第２プラテンローラ４０８に対向する位置Ｃに第２画像読取手段（第２の画像読取部）４１５が設けられている。
これにより、ＡＤＦ３０１によって原稿Ｇを搬送する場合には、第１画像読取手段４１４と第２画像読取手段４１５とによって原稿Ｇの表裏両面の画像を読み取ることができる。
【００１９】
ここで、以下に示す本発明に係る透光部材の構成は、第１プラテンガラス４１１だけでなく、第２プラテンガラス４１２にも同様に適用可能である。
そのため、第１プラテンガラス４１１と第２プラテンガラス４１２とをまとめて、プラテンガラスと呼ぶ場合がある。また、第１プラテンローラ４０６と第２プラテンローラ４０８とをまとめて、プラテンローラと呼ぶ場合がある。
そして、本発明に係る透光部材の構成の説明については、第１プラテンガラス４１１を用いて説明することとする。
【００２０】
図２（ａ）は、本発明に係る第１プラテンガラス４１１に施されているフッ素コーティング１０３を示した図である。
なお、以下の説明において、浮遊ゴミとは、例えば紙粉や埃等を指し、付着ゴミとは、原稿に付着しているポストイットの糊や未硬化の修正液等を指すものとする。
【００２１】
本発明に係る第１プラテンガラス４１１では、ガラス基板４２０の搬送原稿と接する原稿側表面上の搬送方向下流側の第１の領域には、透明なフッ素コーティング（フッ素含有有機化合物コーティング）１０３が施されている。
第１の領域は、第１プラテンガラス４１１の原稿側表面上の主走査方向５０１の両端部までは延在していない。
ここで、主走査方向５０１は、換言すると、第１プラテンガラス４１１の原稿側表面に平行な面内において、原稿の搬送方向に垂直な方向（第１の方向）である。
なお、フッ素コーティング１０３としては、例えばケイ素含有パーフルポリエーテル化合物コーティングが挙げられる。
【００２２】
そして、原稿側表面上のフッ素コーティング１０３が施されていない領域、すなわち第１の領域以外の領域を、非コート領域５００と呼ぶこととする。
【００２３】
フッ素コーティング１０３は、ガラス基板４２０上に中間層を介さず、蒸着釜の中で直接真空蒸着によってコーティングされたものである。
図２（ａ）に示される実施形態では、第１の領域と画像読取領域５０２とは、略一致しており、このフッ素コーティング１０３によって、第１プラテンガラス４１１の画像読取領域５０２に対する糊や未硬化の修正液等の付着ゴミの付着を十分に低減させることができる。それにより、付着ゴミに起因するスジ状の画像不良を十分に低減させることができる。
【００２４】
また、後に図３を用いて説明するように、本発明に係る第１プラテンガラス４１１では、非コート領域５００を設けて、そこに導電性樹脂シート部材１０１や調整部材（第１の調整部材）６００を貼り付けている。
これは、フッ素コーティング１０３上に導電性樹脂シート部材１０１や調整部材６００を貼り付けると十分な接着力が得られずに剥がれてしまうことを防止するためである。
【００２５】
なお、非コート領域５００としては、フッ素コーティング１０３を設けた後に、コーティング除去加工処理を行うことによって設けても構わない。
すなわち、第１プラテンガラス４１１にフッ素コーティング１０３を真空蒸着によって設ける際に、マスキングを用いずに、原稿側表面全面にフッ素コーティング１０３を施す。そして、後工程においてサンドブラスト等で非コート領域５００に対応する領域を加工処理することによって、フッ素コーティング１０３を除去又は、その効果を低減させることによって非コート領域５００を設けても構わない。
この場合でも、上記の防止効果を得ることができる。
【００２６】
図３（ａ）、（ｂ）及び（ｃ）はそれぞれ、本発明の第一、第二及び第三実施形態に係る第１プラテンガラス４１１の斜視図を示している。
また、図４は、本発明に係る画像読取装置２０１の第１プラテンガラス４１１近傍における模式的副走査断面図を示している。
【００２７】
図４に示されているように、第１プラテンガラス４１１には、第１プラテンガラス４１１の原稿側表面上の非コート領域５００（図２参照）のうちのフッ素コーティング１０３が施されている第１の領域の搬送方向上流側の第２の領域の少なくとも一部を含むように、アース手段１０２としてのアルミテープが貼り付けられている。
そして、図３（ａ）、（ｂ）、（ｃ）及び図４に示されているように、該第２の領域には、アルミテープの上に不図示の導電性両面テープ（導電性接着手段）を用いて、導電性樹脂シート部材１０１が貼り付けられている。ここで示した実施形態では、第２の領域では、導電性樹脂シート部材１０１と第１プラテンガラス４１１との間にアルミテープ１０２が介在していない部分と、導電性樹脂シート部材１０１と第１プラテンガラス４１１との間にアルミテープ１０２が介在している部分とを含む。導電性樹脂シート部材１０１と第１プラテンガラス４１１との間にアルミテープ１０２が介在していない部分では、導電性両面テープによって導電性樹脂シート部材１０１と第１プラテンガラス４１１とが接着されている。導電性樹脂シート部材１０１と第１プラテンガラス４１１との間にアルミテープ１０２が介在している部分では、導電性樹脂シート部材１０１と第１プラテンガラス４１１とがアルミテープ１０２を介して導電性両面テープによって接着されている。即ち、導電性樹脂シート部材１０１とアルミテープ１０２とが導電性両面テープによって接着され且つアルミテープ１０２と第１プラテンガラス４１１とが導電性両面テープによって接着されている。
なお、本発明の第一乃至第三実施形態では、第２の領域と導電性樹脂シート部材１０１が貼り付けられている領域とは、略一致している。
【００２８】
なお、導電性樹脂シート部材１０１としては、例えば、黒色の超高分子量ポリエチレンシート（日東電工（株）Ｎｏ．４４０黒色）が用いられる。
導電性樹脂シート部材１０１である黒色の超高分子量ポリエチレンシートは、電気抵抗値が５００ｋΩ以下の導電性を有している。
そのため、アース手段１０２によって、導電性樹脂シート部材１０１を画像読取装置２０１本体、具体的には、不図示の接地されている板金フレーム等金属部分に電気的に接続することが可能となっている。
【００２９】
これにより、搬送される原稿を導電性樹脂シート部材１０１に接触させることによって、原稿及び原稿に付着している浮遊ゴミを除電することができる。そして、除電された浮遊ゴミは、第１プラテンガラス４１１上に静電吸着されなくなるため、搬送される原稿による第１プラテンガラス４１１上の浮遊ゴミの掻き取り、すなわちセルフクリーニングによって容易に除去することができる。
【００３０】
また、導電性樹脂シート部材１０１が搬送される原稿と摺擦しても、導電性樹脂シート部材１０１が帯電することはない。この帯電防止効果によって、周囲の紙粉や埃等の浮遊ゴミが導電性樹脂シート部材１０１に吸着されることも防止することができる。
【００３１】
なお、本願出願人は、第１プラテンガラス４１１の原稿側表面に垂直な方向（第２の方向）において、第１プラテンガラス４１１の原稿側表面と導電性樹脂シート部材１０１の原稿と接する表面との間の距離ｔ１が０．０５ｍｍ以上且つ１．０ｍｍ以下であることが好ましいことを見いだした。
【００３２】
また、導電性樹脂シート部材１０１として選択した黒色の超高分子量ポリエチレンシートは、摩擦係数が小さいため、摺動性に優れており、また従来の金属板と比較して、シートのエッジが柔らかいため、シート部材と原稿との摺擦によって発生する紙粉の量を大幅に低減することができる。
【００３３】
以上に述べたような導電性樹脂シート部材１０１の帯電防止及び除電効果と摺動性の効果とによって、紙粉や埃等の浮遊ゴミに起因するスジ状の画像不良を低減させることができる。
【００３４】
また、図３（ａ）及び（ｂ）に示されているように、第１プラテンガラス４１１の原稿側表面上の非コート領域５００（図２参照）のうちの主走査方向５０１の端部５０３を含む第３の領域５０４には、調整部材６００が不図示の接着手段である両面テープによって貼り付けられている。
すなわち、図３（ａ）に示されている第一実施形態では、第１プラテンガラス４１１の原稿側表面上の主走査方向５０１の両端部近傍それぞれに調整部材６００が設けられている。
一方、図３（ｂ）に示されている第二実施形態では、第１プラテンガラス４１１の原稿側表面上の主走査方向５０１の一方の端部近傍のみに調整部材６００が設けられている。
また、図３（ｃ）に示されている第三実施形態では、第１プラテンガラス４１１の原稿側表面上の主走査方向５０１のいずれの端部近傍にも調整部材６００は設けられていない。
【００３５】
ここで、調整部材６００が貼り付けられている第３の領域５０４は、原稿画像を読み取るための画像読取有効領域５０２外（画像読取領域外）に位置しており、すなわち、搬送された原稿が調整部材６００と摺擦することがないように構成されている。
そのため、調整部材６００は摩擦帯電することはなく、接着手段である両面テープは導電性両面テープである必要はなく、アース手段１０２によって画像読取装置２０１本体と電気的に接続する必要もない。
【００３６】
本発明に係る第１プラテンガラス４１１において、調整部材６００を設けた目的は、以下に示すように、距離ｔ１に実質的に相当する導電性樹脂シート部材１０１の厚みを必要以上に厚くすることなく、第１プラテンガラス４１１の画像読取領域５０２に対応する第１の領域と第１プラテンローラ４０６との間に所定のギャップｔ２だけ隙間を設けるためである。
【００３７】
図５は、本発明における第１プラテンローラ４０６の斜視図を示している。
具体的には、本発明の第一実施形態では、図５に示されているような第１プラテンローラ４０６を保持しているプラテンローラホルダー７００（第１の保持部材）の主走査方向５０１の両側に設けられた手前側突き当て部（突起部）７０１と奥側突き当て部（突起部）７０２の双方に、図３（ａ）に示されるような両端部近傍に設けられた調整部材６００を当接させている。
それにより、第１プラテンガラス４１１と第１プラテンローラ４０６との間において、主走査方向５０１の手前側突き当て部７０１と奥側突き当て部７０２との間にわたって、所定のギャップｔ２だけ隙間を空けている。
【００３８】
もし、第１プラテンガラス４１１と第１プラテンローラ４０６との間のギャップｔ２を狭くし過ぎると、搬送される原稿によるセルフクリーニングによって浮遊ゴミに起因するスジ状の画像不良は改善することができる。一方で、フッ素コーティング１０３への接触圧は強くなるため、第１プラテンガラス４１１上に付着する付着ゴミの量は多くなり、付着ゴミに起因するスジ状の画像不良は悪化してしまう。また、フッ素コーティング１０３の寿命も短くなってしまう。
一方で、ギャップｔ２を広くし過ぎると、付着ゴミに起因するスジ状の画像不良やフッ素コーティング１０３の寿命は改善するが、セルフクリーニングの困難性に伴って、浮遊ゴミに起因するスジ状の画像不良が大幅に悪化してしまう。それに加えて、搬送される原稿と第１プラテンガラス４１１との必要以上の離間に伴って、色ずれや主走査倍率等に関する画像不良も発生してしまう。
【００３９】
従って、これら浮遊ゴミと付着ゴミに起因するスジ状の画像不良、フッ素コーティング１０３の寿命、色ずれや主走査倍率等に関する画像不良等全てを改善するためには、０．１ｍｍ単位でのギャップｔ２の調整が必要となる。
そのため、本発明では、第１プラテンガラス４１１と第１プラテンローラ４０６との間のギャップｔ２が主走査方向の手前側突き当て部７０１と奥側突き当て部７０２との間にわたって最適な値となるように、調整部材６００を第１プラテンガラス４１１に設けている。
なお、本願出願人は、ギャップｔ２が０．１ｍｍ以上且つ１．０ｍｍ以下であることが好ましいことを見いだした。
【００４０】
そして、調整部材６００は、プラスチック等の樹脂シートではなく、金属板であることが好ましい。
これは、プラスチック等の樹脂シートでは、プラテンローラホルダー７００の手前側突き当て部７０１及び奥側突き当て部７０２が調整部材６００に接触した際に、ＡＤＦ３０１の荷重によって、クリープ変形等の変形が生じ、ギャップｔ２を保証できなくなってしまうためである。
【００４１】
次に、図３（ｂ）に示されているように、本発明の第二実施形態に係る第１プラテンガラス４１１では、主走査方向の一方の端部（奥側端部）にのみ調整部材６００が設けられている。
これは、以下に示すように、ＡＤＦ３０１の構成によっては、第１プラテンガラス４１１の主走査方向端部の一方にのみ貼り付ければ十分な場合があるからである。
【００４２】
図３（ｂ）に示されているように、本発明の第二実施形態に係る第１プラテンガラス４１１では、原稿側表面上の主走査方向５０１の奥側端部にのみ、調整部材６００が貼り付けられている。
このように、主走査方向５０１の奥側端部にのみ調整部材６００を貼り付けている第二実施形態の構成は、以下に示すような第１プラテンローラ４０６の駆動構成によるものである。
【００４３】
図５に示されているように、第１プラテンローラ４０６は、プラテンローラホルダー７００に軸受を介して保持されている。
そして、第１プラテンローラ４０６の手前側では、第１プラテンローラ４０６を駆動するために、プラテンローラ駆動ベルト７０３が斜め上方に向かって配置されている。
このような構成の場合、プラテンローラ駆動ベルト７０３が設けられていない奥側では、軸受と第１プラテンローラ４０６の軸との間の嵌合ガタに加えて、軸受とプラテンローラホルダー７００との間の嵌合ガタ分だけ、第１プラテンローラ４０６が重力方向に下がってしまう。
そのため、手前側に比べて奥側の方が、第１プラテンガラス４１１と第１プラテンローラ４０６との間のギャップｔ２が狭くなる。
【００４４】
一方で、プラテンローラ駆動ベルト７０３が設けられている手前側では、プラテンローラ駆動ベルト７０３が斜め上方に向かって配置されているために、そのベルトの張力によって、上記ガタ分だけ、第１プラテンローラ４０６が斜め上方に上げられる。
その結果、手前側では、第１プラテンガラス４１１と第１プラテンローラ４０６との間のギャップｔ２は、奥側に比べて広くなる。
【００４５】
以上のことから、発明の第二実施形態に係る第１プラテンガラス４１１では、相対的にギャップｔ２が狭くなった奥側にのみ、調整部材６００を貼り付けている。それによって、主走査方向の手前側突き当て部７０１と奥側突き当て部７０２との間にわたって、第１プラテンガラス４１１と第１プラテンローラ４０６との間のギャップｔ２を保証している。
【００４６】
次に、図３（ｃ）に示されているように、本発明の第三実施形態に係る第１プラテンガラス４１１では、主走査方向のいずれの端部近傍にも調整部材６００が設けられていない。
これは、図５に示されている第１プラテンローラ４０６の外周面よりも、プラテンローラホルダー７００の手前側突き当て部７０１及び奥側突き当て部７０２が第１プラテンガラス４１１側に向かって突出するように構成されている場合に対応する。
その場合、上述の嵌合ガタや部品公差等を考慮しても、主走査方向の手前側突き当て部７０１と奥側突き当て部７０２との間にわたって、第１プラテンガラス４１１と第１プラテンローラ４０６との間のギャップｔ２を保証することができる。
従って、この場合は、主走査方向５０１のいずれの端部近傍にも調整部材６００を貼り付ける必要がない。
【００４７】
なお、第二実施形態のように、第１プラテンガラス４１１の原稿側表面上の主走査方向５０１の一方の端部のみに調整部材６００が設けられている場合には、図２（ｂ）に示すように、フッ素コーティング１０３は、他方の端部５０３まで延在していても構わない。
また、第三実施形態のように、第１プラテンガラス４１１の原稿側表面上の主走査方向５０１のいずれの端部にも調整部材６００を設けない場合には、図２（ｃ）に示すように、フッ素コーティング１０３は、両端部５０３まで延在していても構わない。
以上で説明した実施形態では、第１プラテンガラス４１１と導電性樹脂シート部材１０１とを接着する導電性接着手段として、導電性両面テープを例示したが、導電性の接着剤であってもよい。
【００４８】
なお、第２プラテンガラス４１２に同様に適用する場合、第１プラテンガラス４１１とは異なる実施形態の構成を適用しても構わない。
これにより、第１プラテンガラス４１１に設けられている調整部材６００の数と、第２プラテンガラス４１２に設けられている不図示の調整部材（第２の調整部材）の数とが、互いに異なる場合がある。
具体的には、第１プラテンガラス４１１に対しては、上記の第一乃至第三実施形態のいずれかが適用されるが、第２プラテンガラス４１２に対しては、上記の第一若しくは第三実施形態が適用される。
これは、第２プラテンガラス４１２と、第２プラテンローラ４０８と、プラテンローラホルダー７００と同様の構造で、第２プラテンローラ４０８を保持する不図示のプラテンローラホルダー（第２の保持部材）との間においては、上記の第二実施形態のような状況は無いからである。
なお、原稿の表面を読み取る第１画像読取手段４１４と、原稿の裏面を読み取る別の第２画像読取手段４１５を備えた画像読取装置を例示した。しかしながら、一つだけの画像読取手段を備えている画像読取装置にも本発明は適用できる。たとえば、原稿の一方の面を読み取った後に原稿を反転して画像読取手段に再度搬送するように構成された画像読取装置にも本発明は適用できる。
【符号の説明】
【００４９】
１０１  導電性樹脂シート部材
１０３  フッ素コーティング（フッ素含有有機化合物コーティング）
２０１  画像読取装置
３０１  自動原稿搬送装置ＡＤＦ（原稿搬送部）
３０２  リーダー（第１の画像読取部）
４１１  第１プラテンガラス（第１の透光部材）
Ｇ  原稿
【図１】
2018207148.tif 000003
【図２】
2018207148.tif 000004
【図３】
2018207148.tif 000005
【図４】
2018207148.tif 000006
【図５】
2018207148.tif 000007
【図６】
2018207148.tif 000008